(57)【要約】  【課題】  ソールの滑りの発生を検知し、滑りの状態に応じてソールの形状を変化させることにより、転倒を防止することができる転倒防止靴、及び歩行型ロボットを提供する。  【解決手段】  複数の突起物を一面に備えた移動板１３と、移動板１３を上下動させるアクチュエータ１５と、地面とソール１１の底面との間に滑りが生じたか否かを判断するために必要な情報を検出する滑りセンサ１６と、地面とソール１１の底面との間に滑りが生じたか否かを判断し、アクチュエータ１５の動作を制御する制御装置１７とをソール１１の底面側に設けてある溝部２０に備え、制御装置１７は、滑りセンサ１６で検出した情報に基づいて滑りが生じたと判断した場合、アクチュエータ１５へ移動板１３を下方へ移動させる指示信号を送出する。【選択図】      図１
2006288435.tif 000002
【特許請求の範囲】
【請求項１】
歩行時の転倒を防止する転倒防止靴であって、
複数の突起物を一面に備えた移動板と、
該移動板を上下動させるアクチュエータと、
地面とソールの底面との間に滑りが生じたか否かを判断するために必要な情報を検出する情報検出手段と、
地面とソールの底面との間に滑りが生じたか否かを判断し、前記アクチュエータの動作を制御する制御手段と
をソールの底面側に設けてある溝部に備え、
前記制御手段は、前記情報検出手段で検出した情報に基づいて滑りが生じたと判断した場合、前記アクチュエータへ前記移動板を下方へ移動させる指示信号を送出するようにしてあることを特徴とする転倒防止靴。
【請求項２】
前記アクチュエータへ指示信号を送出していない場合、前記移動板をソールの底面と対向する方向に引き上げる弾性部材を備えることを特徴とする請求項１記載の転倒防止靴。
【請求項３】
前記情報検出手段は、ソールの底面に加わる荷重を検出する荷重センサ及び動きセンサであり、
前記制御手段は、該荷重センサで検出した荷重が所定値より大きいか否かを判断し、所定値より大きいと判断した場合、歩行状態へと移行していると判断し、前記動きセンサの検出値に基づいて滑りが生じたか否かを判断するようにしてあることを特徴とする請求項１又は２記載の転倒防止靴。
【請求項４】
前記動きセンサは、
光を送受光する送受光部と、
光が通過することができるソールに形成してある複数の孔と
を備え、
前記制御手段は、前記送受光部で検出した地面の画像変化に基づいて、ソールの底面の地面に対する移動速度を算出し、算出した移動速度の単位時間当たりの変動量が所定値より大きいか否かを判断し、所定値より大きいと判断した場合、滑りが生じたと判断するようにしてあることを特徴とする請求項３に記載の転倒防止靴。
【請求項５】
請求項１乃至４のいずれか一項に記載の転倒防止靴を備えたことを特徴とする歩行型ロボット。
【発明の詳細な説明】
【技術分野】
【０００１】
本発明は、ソールの滑りの発生を検知し、滑りの状態に応じてソールの形状を変化させることにより、転倒を防止することができる転倒防止靴、及び歩行型ロボットに関する。
【背景技術】
【０００２】
人間が通常の歩行をしている場合、ソールが滑って突然意図しない方向に移動したときには、人間のほとんどは転倒する。ソールが滑る事由は、地面の凍結、石鹸のような滑りやすい物体の存在等である。ソールが滑ることによる転倒は、特に老人にとっては非常に危険であり、生命を失うおそれもあることから、これを回避する方法の開発が強く要請されている。
【０００３】
ソールを滑りにくくするためには、ソールの形状、材質等を工夫することが効果的である。ソールの形状、材質等の相違により、地面とソールの底面との摩擦係数が大きく変動するからである。例えば特許文献１では、低温でも柔軟性を保持可能な軟質スポンジに大きな凸凹をつけたソールとしている。これにより、柔軟なソールが激しく変形することでソールに付着した氷雪水が剥離し、地面に結着し、瞬時に形成されたソールの凍結地面形状に軟質スポンジのソールが密着する状態となる。したがって、ソールは凍結地面を確実に把持することができ、滑りが生じることを防止することが可能となる。
【０００４】
また、スポーツ等の激しい運動を行う場合に使用する靴では、荷重が加わった場合にすべりが生ずるのを防止する必要が有る。例えば、野球、ゴルフ等に用いる靴では、荷重が加わった場合に滑らないよう、滑り止めとして金属性のスパイク金具をソールに装着している。これにより、濡れた芝生のように滑りやすい地面であっても、滑ることなく安定した姿勢を保つことができる（特許文献２参照）。
【０００５】
また、人間ではなく、例えば二足歩行型のロボットのような駆動源により移動することが可能なロボットでは、足部の底面の滑りによる転倒により、駆動系、伝達系、制御系等が損傷し、正常な歩行ができなくなるおそれがある。したがって、歩行中の転倒を防止することは重要な課題の１つとなっている。
【特許文献１】特開２０００−３４２３０２号公報
【特許文献２】特開２００５−０２７８１８号公報
【発明の開示】
【発明が解決しようとする課題】
【０００６】
しかし、特許文献１に開示されているソールでは、ソールが凍結地面に密着することにより地面を把持することはできるが、地面との圧力により融解した氷雪により、却って滑りやすい状態となりやすいという問題点があった。したがって、歩行中の店頭を防止するには不十分である。
【０００７】
また、ソールを滑りにくくするために、特許文献２のように複数の突起物をソールに設けた場合、滑りやすい状態の地面を歩行する場合には問題が発生しないが、通常の地面を歩行する場合には、複数の突起物が地面に引っかかり、滑らかに移動することが却って困難になるという問題点があった。また、野球、ゴルフ等に用いる靴のように金属性のスパイク金具をソールに装着している場合、アスファルト等の一般的な道路を歩行するときに、地面そのものをスパイク金具により傷つける、又は損傷するおそれがあるという問題点もあった。これを回避すべく、特許文献２のようにスパイク金具を着脱可能とした場合は、地面の状態に応じてスパイク金具を着脱する必要が有り、一般の歩道で突然起こりうる滑りによる転倒を確実に防止することが困難であるという問題点があった。
【０００８】
さらに、例えば二足歩行型のロボットのような駆動源により移動することが可能なロボットでは、歩行方法が一定であることから、スパイク金具をソールに装着している場合、スパイク金具が地面に引っかかり、円滑な歩行運動の妨げになるという問題点もあった。
【０００９】
本発明は斯かる事情に鑑みてなされたものであり、ソールの滑りの発生を検知し、滑りの状態に応じてソールの形状を変化させることにより、転倒を防止することができる転倒防止靴、及び歩行型ロボットを提供することを目的とする。
【課題を解決するための手段】
【００１０】
上記目的を達成するために第１発明に係る転倒防止靴は、歩行時の転倒を防止する転倒防止靴であって、複数の突起物を一面に備えた移動板と、該移動板を上下動させるアクチュエータと、地面とソールの底面との間に滑りが生じたか否かを判断するために必要な情報を検出する情報検出手段と、地面とソールの底面との間に滑りが生じたか否かを判断し、前記アクチュエータの動作を制御する制御手段とをソールの底面側に設けてある溝部に備え、前記制御手段は、前記情報検出手段で検出した情報に基づいて滑りが生じたと判断した場合、前記アクチュエータへ前記移動板を下方へ移動させる指示信号を送出するようにしてあることを特徴とする。
【００１１】
また、第２発明に係る転倒防止靴は、第１発明において、前記アクチュエータへ指示信号を送出していない場合、前記移動板をソールの底面と対向する方向に引き上げる弾性部材を備えることを特徴とする。
【００１２】
また、第３発明に係る転倒防止靴は、第１又は第２発明において、前記情報検出手段は、ソールの底面に加わる荷重を検出する荷重センサ及び動きセンサであり、前記制御手段は、該荷重センサで検出した荷重が所定値より大きいか否かを判断し、所定値より大きいと判断した場合、歩行状態へと移行していると判断し、前記動きセンサの検出値に基づいて滑りが生じたか否かを判断するようにしてあることを特徴とする。
【００１３】
また、第４発明に係る転倒防止靴は、第３発明において、前記動きセンサは、光を送受光する送受光部と、光が通過することができるソールに形成してある複数の孔とを備え、前記制御手段は、前記送受光部で検出した地面の画像変化に基づいて、ソールの底面の地面に対する移動速度を算出し、算出した移動速度の単位時間当たりの変動量が所定値より大きいか否かを判断し、所定値より大きいと判断した場合、滑りが生じたと判断するようにしてあることを特徴とする。
【００１４】
また、第５発明に係る歩行型ロボットは、第１乃至第４発明のいずれか１つの転倒防止靴を備えたことを特徴とする歩行型ロボット。
【発明の効果】
【００１５】
第１発明によれば、情報検出手段で検出した情報に基づいて滑りが生じたと判断した場合、複数の突起物を一面に備えた移動板を下方へ移動させる支持信号をアクチュエータへ送出する。これにより、情報検出手段で検出した情報により地面とソールの底面との間で滑りが生じたと判断した場合、移動板が下降することにより複数の突起物がソールの底面から突出する。したがって、地面とソールの底面との摩擦係数が増大し、ソールが地面を確実に把持することができることから、意図しないソールの急速な移動が生じることがなく、靴を履いている人間の転倒を未然に防止することが可能となる。
【００１６】
また、第２発明に係る転倒防止靴は、アクチュエータへ指示信号を送出していない場合、移動板をソールの底面と対向する方向に引き上げる弾性部材を備える。これにより、アクチュエータが動作しない場合、弾性部材により移動板がソールの内部へと引き上げられ、移動板に備えてある複数の突起物がソールの底面から突出しない。したがって、滑りが生じていないと判断する場合、突起物がソールの底面から突出せず、通常の歩行を行うことが可能となる。
【００１７】
また、第３発明に係る転倒防止靴は、ソールの底面に加わる荷重を検出する荷重センサ及び光センサを備えており、該荷重センサで検出した荷重が所定値より大きいと判断した場合に歩行状態へと移行していると判断し、光センサの検出値に基づいて滑りが生じたか否かを判断する。これにより、ソールの底面に加わる荷重を検出することにより、荷重が所定値より大きい場合、ソールが接地している状態で歩行状態へと移行しているものと判断し、光センサの検出値から地面とソールの底面との間で滑りが生じたと判断した場合、複数の突起物がソールの底面から突出する。したがって、歩行状態に移行した場合に滑りが生じたときに移動板に備えてある複数の突起物がソールの底面から突出することにより、意図しないソールの底面の急速な移動が生じることがなく、靴を履いている人間の転倒を未然に防止することが可能となる。
【００１８】
また、第４発明に係る転倒防止靴は、動きセンサが、送受光する送受光部と、光が通過することができるソールに形成してある複数の孔とを備えており、送受光部で検出した地面の画像変化に基づいて、ソールの底面の地面に対する移動速度を算出し、算出した移動速度の単位時間当たりの変動量が所定値より大きい場合に、滑りが生じたものと判断する。これにより、地面とソールの底面との相対的な移動速度の変化が一定以上の割合で変化した場合に滑りが生じたものと判断し、滑りが生じたと判断した場合、複数の突起物がソールの底面から突出することで、地面とソールの底面との摩擦係数が増大し、ソールが地面を確実に把持することができることから、意図しないソールの底面の急速な移動が生じることがなく、靴を履いている人間の転倒を未然に防止することが可能となる。
【００１９】
また、第５発明に係る歩行型ロボットは、上述したような転倒防止靴を備えていることにより、地面とソールの底面との間で滑りが生じたと判断した場合、移動板が下降することで複数の突起物がソールの底面から突出する。したがって、地面とソールの底面との摩擦係数が増大し、ソールが地面を確実に把持することができることから、意図しないソールの急速な移動が生じることがなく、靴を履いている人間の転倒を未然に防止することが可能となる。
【発明を実施するための最良の形態】
【００２０】
以下、本発明をその実施の形態を示す図面に基づいて具体的に説明する。
【００２１】
（実施の形態１）
図１は、本発明の実施の形態１に係る転倒防止靴の構成例を示す前後方向の中心線近傍の側断面図である。図１に示すように、本実施の形態１に係る転倒防止靴１は、ソール１１の内部に溝部２０を形成し、溝部２０の中に複数のスパイク状の突起部（cleat）１２、１２、・・・を一面に配設してある移動板１３、移動板１３を支持する複数の弾性部材１４、１４、・・・、移動板１３を上下動させる駆動源であるアクチュエータ１５、滑りを検出する滑りセンサ（情報検出手段）１６、及びアクチュエータ１５の動作を制御する制御装置（制御手段）１７を備えている。
【００２２】
図２は、本発明の実施の形態１に係る転倒防止靴１の突起部１２の形状を示す側断面図である。突起部１２の形状は、例えば図２（ａ）のような楔形であり、ソール１１の前半分の領域では、先端部が靴の前方に向かって傾斜しており、ソール１１の後半分の領域では、先端部が転倒防止靴１の後方に向かって傾斜している。これにより、例えば凍結している、石鹸水がまかれている等の滑りやすい地面であっても、突起部１２、１２、・・・により確実に地面を把持することができ、前方へ滑った場合にはソール１１の前半分の領域で突出する突起部１２、１２、・・・により地面を把持し、後方へ滑った場合にはソール１１の後半分の領域で突出する突起部１２、１２、・・・により地面を把持することにより、転倒することを防止することができる。
【００２３】
なお、突起部１２、１２、・・・の形状は、例えば図２（ａ）のような楔形に限定されるものではなく、図２（ｂ）のような略円錐状の鋲であっても良いし、地面を確実に把持することができる形状であれば何でも良い。
【００２４】
移動板１３は、図２に示すような形状の複数の突起部１２、１２、・・・を一面に配設した薄板状の部材である。移動板１３は、ソール１１の溝部２０内で円滑に上下動することができるように、バネ、スプリング等の複数の弾性部材１４、１４、・・・により支持されている。複数の弾性部材１４、１４、・・・と移動板１３との間には、通電することにより厚みが増加する複数の圧電素子を積層した圧電部２１をアクチュエータ１５として備えている。
【００２５】
滑りを検出する滑りセンサ１６は、例えばソール１１の底面に加わる荷重を検出する荷重センサ、ソール１１の動きを検出する動きセンサ等である。荷重センサは、一定時間ごとの検出値であるソール１１の底面に加わる荷重を、動きセンサは、一定時間ごとの検出値であるソール１１の底面の地面に対する動きを、それぞれ制御装置１７へ送出する。
【００２６】
制御装置１７は、マイクロプロセッサ、ＬＳＩチップ等である。図３は、本実施の形態１に係る制御装置１７の構成を示すブロック図である。制御装置１７は、少なくともＬＳＩ１７１、ＲＯＭ１７２、ＲＡＭ１７３、外部の通信手段と接続する通信インタフェース１７４で構成されている。
【００２７】
ＬＳＩ１７１は、内部バス１７５を介して制御装置１７の上述したようなハードウェア各部と接続されており、上述したハードウェア各部を制御するとともに、ＲＯＭ１７２に記憶されている処理プログラム、例えば滑りセンサ１６の検出値に基づいて単位時間当たりの荷重変動量を算出する加重変動量算出プログラム、滑りが生じているか否かを判断する判断プログラム等に従って、種々のソフトウェア的機能を実行する。
【００２８】
ＲＯＭ１７２は、ＳＲＡＭ等で構成され、制御装置１７として機能させるために必要な処理プログラムを記憶している。ＲＡＭ１７３は、ＤＲＡＭ等で構成され、ソフトウェアの実行時に発生する一時的なデータを記憶する。通信インタフェース１７４は内部バス１７５に接続されており、外部の滑りセンサ１６、アクチュエータ１５等と通信することができるよう接続してある。
【００２９】
以下、制御装置１７のＬＳＩ１７１の処理手順に沿って、本実施の形態１に係る転倒防止靴１の動作について説明する。図４は、本発明の実施の形態１に係る転倒防止靴１の制御装置１７のＬＳＩ１７１の歩行状態であるか否かを検出する処理手順を示すフローチャートである。
【００３０】
ソール１１の底面に滑りセンサ１６として荷重センサを備えており、制御装置１７のＬＳＩ１７１は、滑りセンサ１６で一定時間間隔で検出した検出値、すなわち荷重センサで検出した地面とソール１１の底面との間に加わる荷重を受付ける（ステップＳ４０１）。ＬＳＩ１７１は、受付けた検出値である荷重が所定値より大きいか否かを判断する（ステップＳ４０２）。
【００３１】
ＬＳＩ１７１が、受付けた荷重が所定値以下であると判断した場合（ステップＳ４０２：ＮＯ）、ＬＳＩ１７１は、歩行状態ではないものと判断し、ステップＳ４０１へ戻り、次の滑りセンサ１６の検出値の受付けを待つ。ＬＳＩ１７１が、受付けた荷重が所定値より大きいと判断した場合（ステップＳ４０２：ＹＥＳ）、ＬＳＩ１７１は、歩行状態であるものと判断し、滑りが生じているか否かを判断する（ステップＳ４０３）。
【００３２】
また、滑りを検出するためにソール１１の動きを検出する動きセンサを滑りセンサ１６として備えている。図５は、本発明の実施の形態１に係る転倒防止靴１の動きセンサを備えた場合の前後方向の中心線近傍の部分側断面図である。図５に示すように、ソール１１の底面の複数の位置に光を送受光することが可能な孔３１、３１、・・・を設け、孔３１、３１、・・・に対応する位置に受発光器３２、３２、・・・を備えている。動きセンサは、受発光器３２、３２、・・・を介して、光が照射された表面の画像を取得し、連続した２つの画像間の相違を比較することによりソールの動きを算出して制御装置１７へ送出する。図６は、本発明の実施の形態１に係る転倒防止靴１の動きセンサを用いた制御装置１７のＬＳＩ１７１の滑り検出処理手順を示すフローチャートである。
【００３３】
制御装置１７のＬＳＩ１７１は、滑りセンサ１６としての動きセンサで一定時間間隔で検出した動き量を受付ける（ステップＳ６０１）。ＬＳＩ１７１は、受付けた動き量が所定値より大きいか否かを判断する（ステップＳ６０２）。
【００３４】
ＬＳＩ１７１が、受付けた動き量が所定値以下であると判断した場合（ステップＳ６０２：ＮＯ）、ＬＳＩ１７１は、滑りが生じていないものと判断し、歩行状態であるか否かを判断する（ステップＳ６０４）。ＬＳＩ１７１が、受付けた動き量が所定値より大きいと判断した場合（ステップＳ６０２：ＹＥＳ）、ＬＳＩ１７１は、滑りが生じているものと判断し、通信インタフェース１７４を介してアクチュエータ１５へ通電指示信号を送出する（ステップＳ６０３）。
【００３５】
図７は、本発明の実施の形態１に係る転倒防止靴１の突起部１２、１２、・・・がソール１１の底面から突出した状態を示す前後方向の中心線近傍の側断面図である。図７に示すように、通電指示信号を受信したアクチュエータ１５は、通電により積層されている圧電素子の厚みが増大し、移動板１３をソール１１の底面側へと押し下げる。これにより、移動板１３の一面に備えてある複数の突起部１２、１２、・・・がソール１１の底面から突出し、地面をより堅固に把持することができるようになる。
【００３６】
その後、通電指示信号が途絶えた場合、すなわちＬＳＩ１７１が、受付けた荷重が所定値以下であると判断した場合（ステップＳ４０２：ＮＯ）、ＬＳＩ１７１は、アクチュエータ１５に対して通電指示信号を送出せず、アクチュエータ１５の圧電素子の厚みが元に戻る。したがって、移動板１３は、複数の弾性部材１４、１４、・・・の弾性力によりソール１１の内部の溝部２０へと引き上げられ、移動板１３の一面に備えてある複数の突起部１２、１２、・・・がソール１１の底面から突出しないようになる。これにより、滑りが生じていない場合には、通常の靴と同様に円滑に歩行することが可能となる。
【００３７】
以上のように本実施の形態１によれば、滑りセンサ１６で検出した情報により歩行状態であり、地面とソール１１の底面との間で滑りが生じたと判断した場合、移動板１３が下降することにより複数の突起物１２、１２、・・・がソール１１の底面から突出する。したがって、ソール１１が地面を確実に把持することができることから、意図しないソール１１の急速な移動が生じることがなく、靴を履いている人間の転倒を未然に防止することが可能となる。
【００３８】
また、アクチュエータ１５が動作しない場合、弾性部材１４、１４、・・・により移動板１３がソール１１の内部へと引き上げられ、移動板１３に備えてある複数の突起物１２、１２、・・・がソール１１の底面から突出しない。したがって、歩行状態でない場合、例えばいすに座っている場合等には、突起物１２、１２、・・・がソール１１の底面から突出しない。また、滑りが生じていないと判断する場合、突起物１２、１２、・・・がソール１１の底面から突出せず、通常の歩行を行うことが可能となる。
【００３９】
（実施の形態２）
以下、本発明の実施の形態２に係る歩行型ロボットについて図面を参照しながら説明する。図８は、本発明の実施の形態２に係る歩行型ロボットの下半身部分の構成を模式的に示す図である。本実施の形態２では、上述した実施の形態１に係る転倒防止用靴１を二本の足に装着した二足歩行型ロボットを例に挙げて説明する。もちろん、二足歩行型ロボットに限定されるものではなく、歩行時に滑りが生じることにより転倒するおそれのある歩行型ロボットであれば何でも良い。
【００４０】
図８に示すように、二足歩行型ロボット（humanoid robot）では、人間の足の動きに近い動きを再現すべく、人間の間接に該当する部分に複数のアクチュエータ９１、９１、・・・を備えている。アクチュエータ９１、９１、・・・の種類は動作させる部位に応じて様々であり、これらアクチュエータ９１、９１、・・・の動作の制御は、相互に連携して動作させることが必要であることから、各アクチュエータ９１を制御する制御装置９２間で例えば無線通信を行い、相互に連係動作する。もちろん、すべての制御を一括して行う中央プロセッサ９３を筐体に内蔵し、各アクチュエータ９１を制御する制御装置９２との間で例えば無線通信を行うことにより、動作を統制制御するものであっても良い。
【００４１】
二足歩行型ロボット（humanoid robot）の足端には、実施の形態１に係る転倒防止靴１を装着している。転倒防止靴１の構成は、実施の形態１と同様であることから、同一の符号を付することにより詳細な説明を省略する。
【００４２】
足端に転倒防止靴１を装着することで、転倒防止靴１の制御装置１７は、滑りが生じたか否かを容易に判断することができ、アクチュエータ１５に通電指示信号を送出するとともに、中央プロセッサ９３へ滑りが生じた旨を示す信号及びソール１１の滑りによる移動方向、速度等を送信する。滑りが生じた旨を示す信号を受信した中央プロセッサ９３は、受信した移動方向、速度等に基づいて、例えば膝関節を屈曲させることにより転倒を防止する、太腿関節を屈曲させることにより転倒を防止する等、ロボットの他の部分の動作を制御する制御装置９２、９２、・・・に対して、状況に応じた転倒防止信号を送信する。これにより、転倒防止靴１だけでは十分に転倒を防止できない状況であっても、二足歩行型ロボットの転倒を確実に防止することができ、内蔵する中央プロセッサ９３、制御装置９２、９２、・・・等の破損を防止することが可能となる。
【００４３】
以上のように本実施の形態２によれば、実施の形態１に係る転倒防止靴１を装着することにより、滑りが生じたことを確実に検知することができ、転倒防止靴１の制御装置１７によるアクチュエータ二足歩行型ロボットの転倒を確実に防止することができ、内蔵する中央プロセッサ、制御装置等の破損を防止することが可能となる。
【図面の簡単な説明】
【００４４】
【図１】本発明の実施の形態１に係る転倒防止靴の構成例を示す前後方向の中心線近傍の側断面図である。
【図２】本発明の実施の形態１に係る転倒防止靴の突起部の形状を示す側断面図である。
【図３】本実施の形態１に係る制御装置の構成を示すブロック図である。
【図４】本発明の実施の形態１に係る転倒防止靴の制御装置のＬＳＩの歩行状態であるか否かを検出する処理手順を示すフローチャートである。
【図５】本発明の実施の形態１に係る転倒防止靴の動きセンサを備えた場合の前後方向の中心線近傍の部分側断面図である。
【図６】本発明の実施の形態１に係る転倒防止靴の動きセンサを備えた制御装置のＬＳＩの滑り検出処理手順を示すフローチャートである。
【図７】本発明の実施の形態１に係る転倒防止靴の突起部がソールの底面から突出した状態を示す前後方向の中心線近傍の側断面図である。
【図８】本発明の実施の形態２に係る歩行型ロボットの下半身部分の構成を模式的に示す図である。
【符号の説明】
【００４５】
１  転倒防止靴
１１  ソール
１２  突起部
１３  移動板
１４  弾性部材
１５、９１  アクチュエータ
１６  滑りセンサ（荷重センサ、動きセンサ）
１７、９２  制御装置
２０  溝部
３１  孔
３２  受発光器（送受光部）
９３  中央プロセッサ
１７１  ＬＳＩ
１７２  ＲＯＭ
１７３  ＲＡＭ
１７４  通信インタフェース
【図１】
2006288435.tif 000003
【図２】
2006288435.tif 000004
【図３】
2006288435.tif 000005
【図４】
2006288435.tif 000006
【図５】
2006288435.tif 000007
【図６】
2006288435.tif 000008
【図７】
2006288435.tif 000009
【図８】
2006288435.tif 000010